【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
デジタルデータインタフェース通信データリンクにおける少なくとも１つの音声チャネルに関する順方向音声チャネルイネーブルまたはディスエーブルを提供する方法であって、この方法は、
ホストからクライアントへの伝送のためにイネーブルまたはディスエーブルパケットをフォーマットするステップを含み、
音声チャネルイネーブルマスクを提供すること、なおこのマスク内の各ビットは少なくとも１つの特定の音声チャネルを示し、この少なくとも１つの特定の音声チャネルはイネーブルまたはディスエーブルを含み、そして
フォーマットされたイネーブルまたはディスエーブルパケットをホストからクライアントへ伝送すること
を含む方法。
【請求項２】
デジタルデータインタフェース通信データリンクにおける少なくとも１つの音声チャネルに関する順方向音声チャネルイネーブルまたはディスエーブルを提供するシステムであって、このシステムは、
ホストからクライアントへの伝送のためにイネーブルまたはディスエーブルパケットをフォーマットする手段を含み、
音声チャネルイネーブルマスクを提供する手段と、なお、このマスク内の各ビットは少なくとも１つの特定の音声チャネルを示し、この少なくとも１つの特定の音声チャネルはイネーブルまたはディスエーブルを含み、そして
フォーマットされたイネーブルまたはディスエーブルパケットをホストからクライアントへ伝送する手段と
を含むシステム。
【請求項３】
コンピュータ読み取り可能媒体を含むコンピュータプログラム製品であって、この媒体はデジタルデータインタフェース通信データリンクにおける少なくとも１つの音声チャネルに関し、順方向音声チャネルがイネーブルにまたはディスエーブルにされるようにさせるコードを含み、このコードは、
イネーブルまたはディスエーブルパケットがホストからクライアントへの伝送のためにフォーマットされるようにするコードを含み、
音声チャネルイネーブルマスクが提供されるようにするコードと、なお、このマスク内の各ビットは少なくとも１つの特定の音声チャネルを示し、この少なくとも１つの特定の音声チャネルはイネーブルまたはディスエーブルを含み、そして
このフォーマットされたイネーブルまたはディスエーブルパケットがホストからクライアントへ伝送されるようにするコードと
を含むコンピュータプログラム製品。
【請求項４】
デジタルデータインタフェース通信データリンクにおける少なくとも１つの音声チャネルに関する順方向音声チャネルイネーブルまたはディスエーブルを提供する方法であって、この方法は、
ホストからクライアントへの伝送のためにイネーブルまたはディスエーブルパケットをフォーマットするステップを含み、
少なくとも１つの音声チャネル識別子を有するリストを提供すること、なお、リスト中の各音声チャネル識別子は少なくとも１つの特定の音声チャネルを示し、このリストはさらにイネーブルまたはディスエーブルを含み、そして
フォーマットされたイネーブルまたはディスエーブルパケットをホストからクライアントへ伝送すること
を含む方法。
【請求項５】
デジタルデータインタフェース通信データリンクにおける少なくとも１つの音声チャネルに関する順方向音声チャネルイネーブルまたはディスエーブルを提供するシステムであって、このシステムは、
ホストからクライアントへの伝送のためにイネーブルまたはディスエーブルパケットをフォーマットする手段を含み、
少なくとも１つの音声チャネル識別子を有するリストを提供する手段と、なお、リスト中の各音声チャネル識別子は少なくとも１つの特定の音声チャネルを示し、なお、このリストはさらにイネーブルまたはディスエーブルを含み、そして
フォーマットされたイネーブルまたはディスエーブルパケットをホストからクライアントへ伝送する手段と
を含むシステム。
【請求項６】
コンピュータ読み取り可能媒体を含むコンピュータプログラム製品であって、この媒体はデジタルデータインタフェース通信データリンクにおける少なくとも１つの音声チャネルに関し、順方向音声チャネルがイネーブルされまたはディスエーブルされるようにするコードを含み、このコードは、
ホストからクライアントへの伝送のためにイネーブルまたはディスエーブルパケットがフォーマットされるようにするコードを含み、
少なくとも１つの音声チャネル識別子を有するリストが提供されるようにするコードと、なお、リスト中の各音声チャネル識別子は少なくとも１つの特定の音声チャネルを示し、このリストはさらにイネーブルまたはディスエーブルを含み、そして
フォーマットされたイネーブルまたはディスエーブルパケットがホストからクライアントへ伝送されるようにするコードと
を含むコンピュータプログラム製品。
【請求項７】
デジタルデータインタフェース通信システムのハイバネーション状態に関する第１の論理閾値と第2の論理閾値を再定義する方法であって、この方法は、
ホストからクライアントにリンクシャットダウンパケットを送信し、なお、第１の論理レベルと第2の論理レベルは少なくとも１つのデータ受信機の第１の論理閾値を決定し、
少なくとも１つのデータドライバをディスエーブルしそしてその出力をホストにより高インピーダンス状態に置き、なお、第３の論理レベルと第４の論理レベルは少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスを送信し、なお、ウエークアップパルスは第３の論理レベルを出力することを含み、そして
少なくとも１つのハイバネーション受信機によりウエークアップパルスを検出するステップを含む方法。
【請求項８】
ディスエーブルするステップは少なくとも１つの高速差動データパケット受信機をディスエーブルすることをさらに含む請求項７記載の方法。
【請求項９】
ウエークアップパルスを送信するステップはホストがウエークアップパルスを送信することを含む請求項７記載の方法。
【請求項１０】
ウエークアップパルスを送信するステップはクライアントがウエークアップパルスを送信することを含む請求項７記載の方法。
【請求項１１】
第１の論理レベルは第３の論理レベルに等しい請求項７記載の方法。
【請求項１２】
デジタルデータインタフェース通信システムのハイバネーション状態に関する第１の論理閾値と第2の論理閾値を再定義するシステムであって、このシステムは、
ホストからクライアントにリンクシャットダウンパケットを送信する手段と、なお、第１の論理レベルと第2の論理レベルが少なくとも１つのデータ受信機の第１の論理閾値を決定し、
少なくとも１つのデータドライバをディスエーブルし、そしてその出力をホストにより高インピーダンス状態に置く手段と、なお、第３の論理レベルと第４の論理レベルは少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスを送信する手段と、なお、このウエークアップパルスは第３の論理レベルを出力することを含み、そして
少なくとも１つのハイバネーション受信機によりウエークアップパルスを検出する手段と
を含むシステム。
【請求項１３】
ディスエーブルする手段は少なくとも１つの高速差動データパケット受信機をディスエーブルする手段をさらに含む請求項１２記載のシステム。
【請求項１４】
ウエークアップパルスを送信する手段はウエークアップパルスを送信するホストを含む請求項１２記載のシステム。
【請求項１５】
ウエークアップパルスを送信する手段はウエークアップパルスを送信するクライアントを含む請求項１２記載のシステム。
【請求項１６】
第１の論理レベルは第３の論理レベルに等しい請求項１２記載のシステム。
【請求項１７】
コンピュータ読み取り可能媒体を含むコンピュータプログラム製品であって、
この媒体はデジタルデータインタフェース通信システムのハイバネーション状態に関する第１の論理閾値と第2の論理閾値が再定義されるようにするコードを含み、このコンピュータ製品は、
ホストからクライアントにリンクシャットダウンパケットが送信されるようにするコードと、なお、第１の論理レベルと第2の論理レベルが少なくとも１つのデータ受信機の第１の論理閾値を決定し、
少なくとも１つのデータドライバがディスエーブルされるようにし、そしてその出力がホストにより高インピーダンス状態に置かれるようにするコードと、なお、第３の論理レベルと第４の論理レベルが少なくとも１つのハイバネーション受信機の第２の論理閾値を決定し、そして第４の論理レベルは高インピーダンス状態においてディスエーブルされた少なくとも１つのデータドライバにより生成され、
少なくとも１つのハイバネーション受信機にウエークアップパルスが送信されるようにするコードと、なお、ウエークアップパルスは第３の論理レベル出力を含み、そして
少なくとも１つのハイバネーション受信機によりウエークアップパルスが検出されるようにするコードと
を含むコンピュータプログラム製品。
【請求項１８】
少なくとも１つのデータドライバがディスエーブルされるようにするコードは、少なくとも１つの高速差動データパケット受信機がディスエーブルされるようにするコードをさらに含む請求項１７記載のコンピュータプログラム製品。
【請求項１９】
ウエークアップパルスを生じさせるコードはホストがウエークアップパルスを送信するようにするコードを含む請求項１７記載のコンピュータプログラム製品。
【請求項２０】
ウエークアップパルスを生じさせるコードはクライアントがウエークアップパルスを送信するようにするコードを含む請求項１７記載のコンピュータプログラム製品。
【請求項２１】
第１の論理レベルは第３の論理レベルに等しい請求項１７記載のコンピュータプログラム製品。